(57)【要約】【課題】  種々の目的に応じた形状の家具、および造形美、機能美を追求した家具を容易に形成することができる造形の自由度が大きい組合せ収納家具を提供すること。【解決手段】  この組合せ収納家具は、一面が開口し、該開口を形成する４側壁板２６の該開口を形成する４辺が単位長さａまたはその整数倍からなる箱体２１〜２４を複数個組合せて連結する。上記複数の箱体は、４側壁板のそれぞれに縦横方向に配列させた多数の孔１５を設け、該孔は、該箱体の端縁から直近の孔の中心までの距離および隣接する孔同士の中心間の距離が同一であり、かつ、複数の各箱体の孔間距離も一致させ、箱体同士の上記側壁板を当接させ、該孔を介して隣接する箱体を連結子４０で連結する。【選択図】        図１
2006095094.tif 000002
【特許請求の範囲】
【請求項１】
一面が開口し、該開口を形成する４側壁板の該開口を形成する４辺が単位長さまたはその整数倍からなる箱体を複数個組合せて連結する組合せ収納家具において、
上記複数の箱体の上記４側壁板のそれぞれに縦横方向に配列させた多数の孔を設け、
該孔は、該箱体の端縁から直近の孔の中心までの距離および隣接する孔同士の中心間の距離が同一であり、
かつ、上記複数の各箱体の側壁板における多数の孔同士の距離は一致しており、
該箱体同士の上記側壁板を当接するとともに該孔を介して隣接する箱体を連結子で連結している、
ことを特徴とする組合せ収納家具。
【請求項２】
上記複数の箱体は、それぞれの奥行きが上記単位長さまたはその整数倍であることを特徴とする請求項１に記載の組合せ収納家具。
【請求項３】
上記複数の箱体が、それぞれの開口面を正面として、奥行き方向の孔列を１列ずつ上下方向にずらせて連結され、それにより、それぞれの箱体が傾斜して連設されていることを特徴とする請求項１または２に記載の組合せ収納家具。
【請求項４】
上記複数の箱体は、その中の少なくとも１個の箱体が、その開口面を他の箱体の開口面と異なる方向に向けて配置されていることを特徴とする請求項１または２に記載の組合せ収納家具。
【請求項５】
少なくとも２個の箱体が、その開口面を互いに１８０度ずらせて背中合わせに配置されるとともに、それらが他の少なくとも１個の箱体によって連結されていることを特徴とする請求項１または２に記載の組合せ収納家具。
【請求項６】
上記複数の箱体は、その中の少なくとも２個の箱体が上下に配置されるとともに、上方に配置された箱体が下方に配置された箱体に対して上記孔を介して連結子で回転可能に連結されていることを特徴とする請求項１または２に記載の組合せ収納家具。
【請求項７】
上記各箱体を形成するそれぞれの側壁板は、すべてその板厚が同一であって、
各箱体のそれぞれの対向する側壁板は、両端縁がその内面側において両端から板厚の１／２の幅で同長さだけ切り欠かれた段部となっている同一形状の板体であり、
上記箱体の各側壁板は、その一端の端縁を隣接する側壁板の段部に突き当て、他端の段部に隣接側壁板の端縁を突き当てることにより連結し、箱体を形成している、
ことを特徴とする請求項１〜６のいずれかに記載の組合せ収納家具。
【請求項８】
上記箱体の対向する一対の側壁板は、両端縁がその内面側において両端から他の一対の側壁板の板厚だけ切り欠かれた段部となっている同一形状の板体であり、
上記他の一対の側壁板は、平板からなる同一形状の板体であり、
上記箱体の側壁板は、上記段部を有する一対の側壁板の両端の段部に、他の側壁板の端縁を突き当てて連結し、箱体を形成している、
ことを特徴とする請求項１〜６のいずれかに記載の組合せ収納家具。
【請求項９】
箱体内に装着するための仕切り板を支持する棒体に、上記側壁板の孔列のうちの少なくとも二つに係止する係止脚を設けた固定具の一対を、該係止脚を対向する側壁板の対向位置の孔に嵌入係止させて取り付け、それらの固定具によって仕切り板を支持させたことを特徴とする請求項１〜８のいずれかに記載の組合せ収納家具。
【請求項１０】
上記仕切り板は、その両側端縁に、上記棒体を嵌合する溝を前端縁に達しない範囲に設けた板体であって、該溝を上記棒体に嵌合して上記固定具に支持させていることを特徴とする請求項９に記載の組合せ収納家具。
【発明の詳細な説明】
【技術分野】
【０００１】
本発明は、一面が開口した箱体を複数個組合せて所望形状に形成する組合せ収納家具に関する。
【背景技術】
【０００２】
従来から、一面が開口した箱体を複数個組合せて所望形状の家具を形成することは、例えば特許文献１により公知である。この公知の組合せ家具は、１つの基準となる箱体と、その一方向が２倍、３倍となった箱体をそれぞれ任意に組立てるとともに、当接する板同士に連結孔を開けて連結材で連結し、１つの家具を形成するものである。
また、少なくとも一辺が基準寸法を有する複数種の筒状直方体の箱体群と適宜板体とからなり、１個の箱体を単独に用いることができるとともに、複数の同種または異種の箱体を任意に組合せて所望の収納家具、間仕切り家具を形成できるようにした組合せ家具も公知である（特許文献２参照）。
しかしながら、これらの組合せ家具においては、連結孔が、一定の目的に応じた箇所に設けられているので、組合せの自由度は低く、種々の目的に応じた形状の家具、および造形美、機能美を追求した家具を自由に形成することはできなかった。
【０００３】
【特許文献１】特開昭６１−２５５０７号公報
【特許文献２】特開平０８−３６６号公報
【発明の開示】
【発明が解決しようとする課題】
【０００４】
本発明は、上記従来の組合せ家具における問題を解決するもので、その技術的課題は、種々の目的に応じた形状の家具、および造形美、機能美を追求した家具を容易に形成することができる造形の自由度が大きい組合せ収納家具を提供することにある。
【課題を解決するための手段】
【０００５】
上記課題を解決するため、本発明は、一面が開口し、該開口を形成する４側壁板の該開口を形成する４辺が単位長さまたはその整数倍からなる箱体を複数個組合せて連結する組合せ収納家具において、上記複数の箱体の上記４側壁板のそれぞれに縦横方向に配列させた多数の孔を設け、該孔は、該箱体の端縁から直近の孔の中心までの距離および隣接する孔同士の中心間の距離が同一であり、かつ、上記複数の各箱体の側壁板における多数の孔同士の距離は一致しており、該箱体同士の上記側壁板を当接するとともに該孔を介して隣接する箱体を連結子で連結していることを特徴とするものである。
上記組合せ収納家具においては、上記複数の箱体のそれぞれの奥行きを、上記単位長さまたはその整数倍にすることが望まれる。
【０００６】
本発明の組合せ収納家具の好ましい実施形態においては、上記複数の箱体が、それぞれの開口面を正面として、奥行き方向の孔列を１列ずつ上下方向にずらせて連結され、それにより、それぞれの箱体が傾斜して連設されたものとし、また、上記複数の箱体の中の少なくとも１個の箱体が、その開口面を他の箱体の開口面と異なる方向に向けて配置されたものとし、さらに、少なくとも２個の箱体が、その開口面を互いに１８０度ずらせて背中合わせに配置されるとともに、それらが他の少なくとも１個の箱体によって連結されているものとし、あるいは、上記複数の箱体の中の少なくとも２個の箱体が上下に配置されるとともに、上方に配置された箱体が下方に配置された箱体に対して上記孔を介して連結子で回転可能に連結されているものとして構成することができる。
【０００７】
また、本発明の組合せ収納家具の他の好ましい実施形態においては、上記各箱体を形成するそれぞれの側壁板は、すべてその板厚が同一であって、各箱体のそれぞれの対向する側壁板は、両端縁がその内面側において両端から板厚の１／２の幅で同長さだけ切り欠かれた段部となっている同一形状の板体とし、上記箱体の各側壁板は、その一端の端縁を隣接する側壁板の段部に突き当て、他端の段部に隣接側壁板の端縁を突き当てることにより連結し、箱体が形成され、あるいは、上記箱体の対向する一対の側壁板は、両端縁がその内面側において両端から他の一対の側壁板の板厚だけ切り欠かれた段部となっている同一形状の板体であり、上記他の一対の側壁板は、平板からなる同一形状の板体であり、
上記箱体の側壁板は、上記段部を有する一対の側壁板の両端の段部に、他の側壁板の端縁を突き当てて連結し、箱体が形成されている。
側壁板として前者の構成を採用することにより、各側壁板の両端縁をすべて同一形状に加工できるので、生産性において有利となり、また、後者の構成を採用することにより、段部を構成した一対の側壁板を多種の箱体において共通部品とし、他の一対の平板からなる側壁板を種々の長さのものとすることにより、多種の大きさを異にする箱体を容易に製作することができる。
【０００８】
本発明の組合せ収納家具の他の好ましい実施形態においては、箱体内に装着するための仕切り板を支持する棒体に、上記側壁板の孔列のうちの少なくとも二つに係止する係止脚を設けた固定具の一対を、該係止脚を対向する側壁板の対向位置の孔に嵌入係止させて取り付け、それらの固定具によって仕切り板を支持させるように構成される。
上記仕切り板は、その両側端縁に、上記棒体を嵌合する溝を前端縁に達しない範囲に設けた板体とし、該溝を上記棒体に嵌合して上記固定具に支持させることができる。
【０００９】
上記構成を有する組合せ収納家具においては、上記複数の箱体の４側壁板に上述の規則性を持った多数の孔を設けているので、同一あるいは大きさの異なる形状の複数の箱体を種々の連結状態に組立てることができ、その種々の連結状態で隣接する箱体の孔を一致させ、簡易な連結子で連結することができ、その結果、所望の組合せ収納家具を簡易に得ることができる。また、該孔を適宜ずらせるなどして連結することにより、斜向した形状など所望の造形美、機能美を追求した組合せ収納家具を形成することができる。
【発明の効果】
【００１０】
以上に詳述した本発明の組合せ収納家具によれば、種々の目的に応じた形状の家具、および造形美、機能美を有する家具を自由に形成することができる。
【発明を実施するための最良の形態】
【００１１】
図１は、本発明に係る組合せ収納家具の第１実施例を示すものである。
この第１実施例の組合せ収納家具１は、一面が開口する複数種類の箱体２１〜２４を組合せて形成したもので、これらの箱体は、上記一面の開口を形成する４側壁板の該開口を形成する４辺を、これらの箱体の寸法関係を規定する一定の単位長さａまたはその整数倍にした長方体形状または正方形状としたもので、図１では、一対の対向２辺が上記単位長さａ、他の対向２辺が単位長さａの２倍の長さの長方形状をなす第１の箱体２１（図２参照）と、箱体の幅が上記第１の箱体２１の２倍で立方体状をなす第２の箱体２２（図３参照）と、幅が上記第１の箱体２１の３倍の第３の箱体２３（図４参照）と、幅が第１の箱体２１の４倍の第４の箱体２４（図５参照）との４種類の箱体から構成されている。
【００１２】
図２〜図５の各（Ａ）は、これら４種類の箱体２１〜２４の開口側である正面形状を、同各（Ｂ）はそれらの箱体の平面形状を示し、また、図６はこれら箱体に共通する側面形状を示している。
これらの図から分かるように、上記開口を形成する４側壁板２６には、それぞれに縦横方向に配列させた多数の孔１５を設けている。それらの孔１５の各箱体での共通性ある配列を、図２〜図５の各（Ｂ）に示す箱体２１〜２４の上面の側壁板２６を例にして説明すると、それらの孔１５は、側壁板２６の端縁から直近の孔１５の中心までの距離および該孔１５同士の中心間の距離が同一の距離ｄになるように、かつ該距離ｄが上記単位長さａの１／ｎ（ｎは整数）になるように図上の縦横方向に等間隔に設けられている。そして、上記複数の各箱体２１〜２４のそれぞれの側壁板２６における多数の孔間の距離も全て同一である。
このような配列で孔１５を設けると、図１の箱体２１〜２４の連結状態ばかりでなく、以下に説明する各実施例その他の箱体の種々の連結状態において、隣接する箱体の孔を一致させ、それを利用して後述の簡易な連結子で箱体その他を連結することができる。
【００１３】
図示したところから明らかなように、図３の第２の箱体２２の正面の各辺の長さは２ａであって、第１の箱体２１の長辺の長さと同一であり、図４の第３の箱体２３の正面の対向する２辺が２ａ、他の対向する２辺が３ａであり、図５の第４の箱体２４は、正面の開口の対向２辺が２ａ、他の対向２辺が４ａである。
そして、これらの箱体２１〜２４の側壁板２６における各孔１５同士の中心間距離は全て同一にしているので、所望の箱体の面同士を当接した状態においては、それらの面の各孔１５同士を連通させることができる。
【００１４】
なお、上記図２〜図５は、組合せに利用できる箱体の形状を例示するものであって、本発明においては、開口を形成する４側壁板２６の該開口を形成する４辺が単位長さａまたはその整数倍からなる各種箱体を複数個組合せて用いることができる。
また、これらの第１〜第４の箱体２１〜２４の奥行きはいずれも同一であって、その長さは２ａであるが、後述するようにこの奥行きは必要に応じて複数の設定長のものを用いることもできる。その場合にも、奥行き方向の各孔１５同士の中心間距離は全て同一である。
【００１５】
図７は、上記箱体同士を連結するための連結子４０を示すもので、この連結子４０は、高強度の硬質プラスチック、ないしは金属等からなる鍔付きボルト４０ａと鍔付きナット４０bとから構成され、側壁板２６の連接により互いに連通した孔１５，１５の両側からそれぞれ挿入し、相互に螺合して箱体同士を連結するものである。この連結子４０により連結する孔１５としては、各側壁板２６中の任意のものを用いることができ、少なくとも２個所で連結すれば、一対の箱体を固定的に連結して一体化することができる。
なお、箱体同士の連結子４０は、頭部に円盤状の鍔を設けたこれらの鍔付きボルト４０ａおよび鍔付きナット４０ｂに限らず、連結の目的を達するものであれば種々の構成のものを用いることができる。
【００１６】
図８は、本発明に係る組合せ収納家具の第２実施例を示すもので、この第２実施例の組合せ収納家具２も、上記第１〜第４の箱体２１〜２４から形成されているが、第１実施例とは各箱体の配置を異にしている。
また、この第２実施例では、第１〜第４の箱体２１〜箱体２４を第１実施例とは異なる態様で連結しているが、その連結形状の一部に周囲の箱体の側壁板２６で形成された空間２７を形成している。この種の空間２７は、組合せ収納家具内に任意に形成することができる。
なお、これらの箱体の奥行きも全て同一の２ａである。また、この収納家具２の第３の箱体２３には、その内部を上下に仕切る仕切り板４５を設けているが、これについては後述する。
【００１７】
図９は、本発明に係る組合せ収納家具の第３実施例を示すもので、この組合せ収納家具３は第１の箱体２１のみの複数から形成されている。なお、これらの箱体の奥行きも同一（２ａ）である。  
この第３実施例の組合せ収納家具３は、上記第１の箱体２１の多数を、それらの開口面を正面に向けて、各箱体２１のそれぞれ当接する側壁板２６において、奥行き方向の孔列を１列ずつ上下方向にずらせて連結子４０で連結し、それにより、それぞれの箱体２１が傾斜して連設されている。
この組合せ収納家具３は、優れた造形美を有するばかりでなく、本を収納する場合などには、箱体２１の幅に満たない少数冊の本であっても、傾斜面にもたせ掛けて形崩れすることなく安定した状態で収納することができる。他の安定的に立てておくことができない収納物にも有効に利用することができる。
【００１８】
図１０は、本発明に係る組合せ収納家具の第４実施例を示すもので、この組合せ収納家具４は、第２の箱体２２のみから形成され、それらの奥行きも２ａである。
この組合せ収納家具４は、２個の第２の箱体２２を、それらの開口面を正面に向けて、上記第３実施例の組合せ収納家具３と同様に傾斜させて前記連結子４０で連結固定し、さらにその上に同様に連結した２個の第２の箱体２２を載置して連結子４０で連結固定し、全体として４つの箱体が傾斜してその中央に正方形の空間２７を有する形状にしたものである。
この収納家具４は、第３実施例の収納家具３と同様の作用に加え、さらに優れた造形美を有するものである。
なお、大きさの異なる複数の箱体を、上記第３および第４実施例と同様に連結固定し、全体として複数の箱体が傾斜した形状の組合せ収納家具を形成することもできる。
【００１９】
図１１は、本発明に係る組合せ収納家具の第５実施例を示すもので、この組合せ収納家具５では、複数の第１の箱体２１を積層しているが、下段の箱体２１はその開口が図において右側に向くように配置され、中段の箱体はその開口が正面に向くように配置され、さらにその上段の２個の箱体２１，２１は、それらの開口が互いに逆向きになるようにして縦長に配置され、これらの箱体２１を、上記と同様に孔１５を介して連結子４０で固定することにより形成している。
この組合せ収納家具５においては、下段の第１の箱体２１の開口と上段の１個の第１の箱体２１とがそれぞれ異なる方向に開口するので、該組合せ収納家具５に三方向から物の出し入れをしたい箇所に配置する場合に便利である。
【００２０】
その他、この収納家具６の変形構造としては、収納量に応じて大きさの異なる箱体を、上記と同様に連結固定しても良いことは勿論であり、さらに４個以上の箱体を積層して、それらのいずれかが周囲４面側に開口するように固定しても良い。この収納家具は、その周囲のどこからでも物の出し入れができて便利であるとともに、該組合せ収納家具があたかもオブジェ的な造形物ともなる。
なお、一部の箱体の開口を、必要に応じて上向きにして配置することもできる。
【００２１】
図１２の（Ａ）および（Ｂ）は、本発明に係る組合せ収納家具の第６実施例を示すもので、この組合せ収納家具６は、２個の第２の箱体２２を積層したものであるが、下段の箱体２２に対して上段の箱体２２を中心に位置する孔１５において連結子４０により鉛直軸回りに回転可能に緩く連結している。図１２（Ａ）は、上下の２個の箱体２２，２２を開口面が共に正面を向くように配置した状態を示し、図１２（Ｂ）は、上部の箱体２２を下部の箱体に対して９０度回転した状態を示している。
この収納家具６は、上部の箱体２２の開口方向が自由であるので、周囲に空間がある位置に配置すれば、上部の箱体２２については如何なる方向からも物品を出し入れできるので便利である。
【００２２】
この収納家具６を構成する箱体としては、必ずしも第２の箱体に限らないが、上部の箱体をその中心において回転させるには、該上部の箱体の回転可能に連結する側壁板が正方形でその中心に孔１５が存在するものを用いる必要がある。
なお、この連結は、箱体の中心の孔１５において上記鍔付きボルト４０ａおよび鍔付きナット４０bからなる連結子４０で連結することもできるが、回転性が良好なベアリングなどを介在させた連結子で連結することもできる。
【００２３】
図１３は、本発明に係る組合せ収納家具の第７実施例を示すもので、この第７実施例の組合せ収納家具７は、第１〜第３の箱体２１〜２３のそれぞれ２個と、第４の箱体２４の１個とを連設するとともに、それらを奥行き方向にずらせて連結したものである。
さらに詳しく述べると、該収納家具７は、上記第１〜第４の箱体２１〜２４を連結するに際し、各箱体の側面側に位置する側壁板２６における縦方向の孔列を前後方向に１列または２列ずつずらすことにより、図の右側に位置する箱体が順次前方にずり出すように連結するとともに、上位の箱体の横方向の孔列を前後方向に１列または２列ずつずらすことにより、上位の箱体を適宜後方に後退させるように連結している。
【００２４】
このように組合せた収納家具７は、箱体の奥行き以上の長さを有する物品をずれ面を利用して収納することができる。また、商品の展示ディスプレー等のために、店舗や展示場等に配置した場合、見る人に動的な印象を与え好ましい。  
なお、上位の箱体２３として、奥行き寸法がａのものを示している。また、該収納家具７の変形構造として、箱体の種類、個数、開口方向、およびずらせ距離を任意に設定した種々の構成をとることができる。
【００２５】
図１４は、本発明に係る組合せ収納家具の第８実施例を示すもので、この組合せ収納家具８においては、前述した第１〜第４の箱体２１〜２４を適宜組合せ、それらの箱体を前後両側に開口させるとともに左右両側にも開口させるように連結している。
これらの箱体２１〜２４のうち、上下の箱体は各側壁板２６における孔１５において連結されるが、箱体の背板２８には孔を設けていないので、他の箱体の側壁板２６あるいは背板２８と互いに連結することはできない。しかしながら、ほとんどの箱体は上位または下位の箱体を介して連結されるので、それらの連結固定に支障を来すことはない。
この組合せ収納家具８は、四方向から物の出し入れをしたい箇所に配置した場合に便利なものである。
【００２６】
図１５および図１６は、本発明に係る組合せ収納家具の第９実施例、第１０実施例を示すもので、これらの組合せ収納家具９および１０は、前述した第１〜第８実施例と異なり種々の箱体に他の部材を組み合わせて形成されている。
【００２７】
図１５に示す組合せ収納家具９は、第１の箱体２１の２個をこれらの開口面を正面に向けて上下に連結して形成した袖部の一対を、一定間隔を隔てて設け、それらの上面に天板６１を渡してテーブル状に形成したものである。この表面板６１の四角には、第１の箱体２１の孔１５と連通するように連通孔が設けられ、上記連結子４０により箱体２１にそれぞれ連結されている。
各箱体２1内には、必要に応じて後述する仕切り板を取り付け、あるいは適宜抽斗を装設することができる。
この組合せ収納家具９は、必要に応じて容易に設置できる簡易テーブルまたは机として利用することができる。
【００２８】
図１６に示す組合せ収納家具１０は、第２の箱体２２の８個を、それらの開口面が四方向に向くように連結して形成したものを、キャスター６３付きの台板６２に載置し、各箱体を連結子４０で連結したものである。必要に応じて下段の箱体と台板６２とを上記連結子４０で連結することができる。
この収納家具１０は、これを必要な場所に自由に移動して、その中の収納物を取り出すことができ、また、ローテーブルとしても利用することができる。
この第９、１０実施例のように箱体と他の部材とを組み合わせて形成される組合せ収納家具は、その目的・用途に応じて箱体の種類、個数、開口方向、および組み合わせ部材の構造を任意に設定した種々の変形構造とすることができる。
【００２９】
図１７および図１８は、開口を形成する４側壁板２６の端縁の連結構造を示している。
上記各箱体２１〜２４を形成するそれぞれの側壁板２６は、すべてその板厚が同一であり、そして、各箱体のそれぞれの対向する側壁板２６は、図１７に明瞭に示すように、両端縁がその内面側において両端から板厚の１／２の幅で同長さだけ切り欠かれた段部２６ａとなっている同一形状の板体によって形成している。即ち、各箱体において、少なくとも互いに対向する一対の側壁板は同一の形状を有している。また、図３（Ａ）に示すように、開口が正方形をなすような箱体では、その４側面の側壁板がすべて同一形状の板体により形成される。
これらの側壁板によって箱体を形成するに際しては、各側壁板２６の一端の端縁を隣接する側壁板２６の段部２６ａに突き当て、他端の段部２６ａに隣接側壁板２６の端縁を突き当てることにより連結される。
【００３０】
上述した第１〜第４の各箱体においては、開口を形成する４側壁板２６の該開口を形成する４辺を、単位長さａまたはその整数倍としたものであるから、奥行きが一定であるとすれば、それらの側壁板２６を形成する板体としては、単位長さまたはその整数倍の板体を各箱体２１〜２４等に共通部品として使用することができる。したがって、上記第１〜第４の箱体２１〜２４等は、生産性の点で極めて有利なものである。勿論、その他のサイズの箱体においても同様に共通部品として利用できる。
【００３１】
図１８は、側壁板２６の他の連結構造を示している。
同図において、左右の対向する一対の側壁板２６は、両端縁がその内面側において両端から板厚方向において略１／２の幅で、両端から上下の一対の側壁板２６の板厚だけ切り欠かれた段部２６ｂとなっている同一形状の板体から形成されている。
上下の一対の側壁板２６は、段部のない矩形状の平板で形成されている。
そして、箱体２１〜２４を形成する場合は、この段部２６ｂを有する一対の側壁板２６に、上下の側壁板の上記端縁を突き当てることにより上下の側壁板２６と連結させている。
図１８に示す側壁板２６では、左右および上下の側壁板２６との板厚が同一であるが、必ずしも同一である必要はなく、上下の側壁板２６が左右の側壁板２６より厚かったり、薄かったりしていても良い。
この段部２６ｂを有する一対の側壁板２６を多種の箱体に適用する場合おいても、該側壁板２６を共通部品とし、上下の上記側壁板２６を種々の長さのものとすることにより、多種の箱体を容易に製作することができる。
【００３２】
なお、上述したところから明らかなように、図１７に示す上記側壁板２６自体の開口を形成する各辺の長さは、段部２６ａの形成により単位長さａまたはその整数倍から上記板厚の１／２だけ短く形成されたものである。また、図１８に示す段部２６ｂを有する側壁板２６自体の開口を形成する各辺の長さは、単位長さａまたはその整数倍であり、他の側壁板２６の同長さは、段部２６ｂの形成により単位長さａまたはその整数倍から略上記板厚だけ短く形成されたものである。
また、ここでは上記段部２６ａ、２６ｂによって側壁板２６相互を接続する場合について説明したが、それらの接合手段に限るものではなく、板体を直角に接合する各種接合手段を利用することができる。
【００３３】
上述のように形成された各組合せ収納家具１〜１０には、必要に応じてそれらの箱体内に仕切り板４５を装着することができる。
図１９は、該仕切り板４５を装着する固定具５０の構成を示し、図２０は該固定具５０により取り付けられる仕切り板４５を示している。
仕切り板４５は、各箱の収納空間に水平の棚板として、あるいは垂直に仕切る立板として装着することができる。
【００３４】
上記固定具５０は、図１９に示すように、仕切り板４５を係止により支持する棒体５１と、該棒体５１に固定され、上記側壁板２６における一つの孔列のうちの少なくとも二つの孔１５に係止する係止脚５２とからなり、箱体の収納空間における例えば側面の側壁板２６の水平な孔列中の二つの孔１５に内側面側から係止脚５２を係止して、該内側面に付設される。棒体５１は、箱体の収納空間の奥行きより後述する長さだけ短く、箱体の開口縁に達しない長さを有するものであり、また、上記側壁板２６の板厚よりも十分に細い径を有する鋼線により形成しているが、プラスチック材等を用いることもできる。上記孔１５に嵌入する突起状の係止脚５２も同様に鋼線やプラスチック材等により形成することができる。
【００３５】
図２０に示す仕切り板４５は、例えば棚板として、上記側壁板２６の内側面に係止された一対の固定具５０を用いて水平に取り付けられるもので、箱体の対向する側壁板２６間に嵌挿できる幅を有し、その両側端縁４６に、上記棒体５１を嵌合する溝４７を側壁板２６の前端縁４８に達しない範囲に設けた板体により形成している。したがって、上記固定具５０の一対を、その係止脚５２を対向する側壁板２６の対向位置の孔１５に嵌入係止させて取り付け、それらの固定具５０の棒体５１に仕切り板４５の溝４７を嵌合させることによって、該仕切り板４５を側壁板２６間に支持させることができる。
【００３６】
この場合に、上記溝４７は側壁板２６の前端縁４８に達しない範囲に設け、棒体５１の長さは、適正な仕切り板４５の装着状態において該仕切り板４５の溝４７に棒体５１が嵌合できる範囲内のものとしているので、仕切り板４５を固定具５０に支持させた状態において、固定具５０が箱体の前面から見えることがなく、すぐれた外観を持たせることができる。
なお、固定具５０が前面から見えることを許容するならば、上記溝４７は側壁板２６の前端縁４８に達する全長にわたって設けることができる。また、上記仕切り板４５やそれに代えて用いるガラス板等を棒体５１上に載置することもできる。
上記仕切り板４５を立板として箱体内を仕切る場合には、固定具５０は箱体の上下面に付設され、仕切り板４５を垂直方向に配置することになる。
【００３７】
また、図示を省略しているが、上述の組合せ収納家具１〜１０には、必要に応じて任意の開口面に上記孔１５を利用して扉を取り付けることができる。
この扉は、箱体の開口部内面に上記孔を利用して扉支持板をボルト・ナット等で取り付け、この扉支持板に扉を開閉自在に取り付けることにより箱体に付設できるものである。
すなわち、扉支持板の少なくとも上下２ケ所に箱体の孔１５に連通する取り付け孔を設けておき、扉支持板を該孔１５を用いて箱体に固定し、扉をこの扉支持板に蝶番で取り付ければよい。この扉は、箱体の一方の側壁板を利用して片開き扉とすることも、また箱体の両方の側壁板を利用して両開き扉としてもよい。  
【００３８】
本発明は上述の実施例に限らず、特許請求の範囲の精神を逸脱しない範囲において、種々の設計変更を行うことができる。
例えば、上述の各実施例ではいずれも第１〜第４の箱体２１〜２４を用いるものとして説明しているが、それらに限らず、箱体の４側壁板の開口を形成する４辺が単位長さまたはその整数倍からなる箱体を用いることもでき、また、奥行きが異なる箱体を混用することもできる。
【図面の簡単な説明】
【００３９】
【図１】本発明の第１実施例の組合せ収納家具を示す斜視図である。
【図２】（Ａ）は組合せ収納家具の第１の箱体の正面図、（Ｂ）は同平面図である。
【図３】（Ａ）は組合せ収納家具の第２の箱体の正面図、（Ｂ）は同平面図である。
【図４】（Ａ）は組合せ収納家具の第３の箱体の正面図、（Ｂ）は同平面図である。
【図５】（Ａ）は組合せ収納家具の第４の箱体の正面図、（Ｂ）は同平面図である。
【図６】第１〜第４の箱体の側面図である。
【図７】連結子で箱体同士を連結した状態における部分断面図である。
【図８】本発明の第２実施例の組合せ収納家具を示す正面図である。
【図９】本発明の第３実施例の組合せ収納家具を示す正面図である。
【図１０】本発明の第４実施例の組合せ収納家具を示す正面図である。
【図１１】本発明の第５実施例の組合せ収納家具を示す斜視図である。
【図１２】（Ａ）は本発明の第６実施例組合せ収納家具の斜視図、（Ｂ）は該収納家具の他の使用形態の斜視図である。
【図１３】本発明の第６実施例の組合せ収納家具を示す斜視図である。
【図１４】本発明の第７実施例の組合せ収納家具を示す斜視図である。
【図１５】本発明の第８実施例の組合せ収納家具を示す斜視図である。
【図１６】本発明の第９実施例の組合せ収納家具を示す斜視図である。
【図１７】本発明の実施例における側壁板の端縁の連結構造を示す正面図である。
【図１８】本発明の実施例における側壁板の端縁の他の連結構造を示す正面図である。
【図１９】本発明の組合せ収納家具に装着する仕切り部の固定具の斜視図である。
【図２０】上記仕切り板の斜視図である。
【符号の説明】
【００４０】
１〜１０    組合せ収納家具
１５      孔
２１〜２４    箱体
２６    側壁板
２６ａ，２６ｂ    段部
４０    連結子
４５    仕切り板
４６    側端縁
４７    溝
４８    前端縁
５０    固定具
５１    棒体
５２    係止脚
【図１】
2006095094.tif 000003
【図２】
2006095094.tif 000004
【図３】
2006095094.tif 000005
【図４】
2006095094.tif 000006
【図５】
2006095094.tif 000007
【図６】
2006095094.tif 000008
【図７】
2006095094.tif 000009
【図８】
2006095094.tif 000010
【図９】
2006095094.tif 000011
【図１０】
2006095094.tif 000012
【図１１】
2006095094.tif 000013
【図１２】
2006095094.tif 000014
【図１３】
2006095094.tif 000015
【図１４】
2006095094.tif 000016
【図１５】
2006095094.tif 000017
【図１６】
2006095094.tif 000018
【図１７】
2006095094.tif 000019
【図１８】
2006095094.tif 000020
【図１９】
2006095094.tif 000021
【図２０】
2006095094.tif 000022